(57)【要約】  通信ネットワークにおいて動作する無線通信装置（２）及び方法が提供される。無線通信装置（２）は、音声ゲートウェイ（１）から制御データ及び音声データを受信する受信機ユニット（１０）と、制御データを使用して、音声データの通信のために無線通信装置（２）と音声ゲートウェイ（１）との接続を成立させる制御ユニット（１２）と、送信機ユニット（１１）とを備える。受信機ユニットは、他の無線通信装置（３、４）から制御データについての要求を受信するように動作する。制御ユニット（１２）は、要求に応答して、送信機ユニット（１１）を介して他の無線通信装置（３、４）へ制御データを転送するように動作する。他の無線通信装置及び制御データを要求する方法も提供される。
2009519640.tif 000002
【特許請求の範囲】
【請求項１】
通信ネットワークにおいて動作する無線通信装置（２）であって、
音声ゲートウェイ（１）から制御データ及び音声データを受信する受信機ユニット（１０）と、
前記制御データを使用して、前記音声データの通信のために前記無線通信装置（２）と前記音声ゲートウェイ（１）との接続を成立させる制御ユニット（１２）と、
送信機ユニット（１１）と、を備え、
前記受信機ユニット（１０）は、他の無線通信装置（３、４）から前記制御データについての要求を受信し、
前記制御ユニット（１２）は、前記要求に応答して、前記送信機ユニット（１１）を介して前記制御データを前記他の無線通信装置（３、４）へ転送することを特徴とする無線通信装置（２）。
【請求項２】
前記制御ユニット（１２）は、前記制御データを一度に１つの他の無線通信装置（３、４）へ転送することを特徴とする請求項１記載の無線通信装置（２）。
【請求項３】
前記制御ユニット（１２）は、第２の他の無線通信装置（４）への接続が確立される前に第１の他の無線通信装置（３）への接続を切断することを特徴とする請求項２記載の無線通信装置（２）。
【請求項４】
前記制御ユニット（１２）は受信された音声データを廃棄することを特徴とする請求項１記載の無線通信装置（２）。
【請求項５】
ディスプレイ（１４）を備え、前記制御ユニット（１２）は、前記制御データの少なくとも一部を前記ディスプレイ（１４）へ転送することを特徴とする請求項１記載の無線通信装置（２）。
【請求項６】
通信ネットワークにおいて動作する無線通信装置（３）であって、
音声ゲートウェイ（１）と他の無線通信装置（２）との間の音声データの通信をサポートする制御データについての要求を前記他の無線通信装置（２）へ送信する送信機ユニット（２０）と、
前記他の無線通信装置（２）から前記制御データを受信する受信機ユニット（２１）と、
前記音声ゲートウェイ（１）と前記他の無線通信装置（２）との間において前記音声データが通信された場合に、前記制御データを使用して、前記音声データを受信するように前記受信機ユニット（２１）を制御する制御ユニット（２２）と
を備えることを特徴とする無線通信装置（３）。
【請求項７】
前記制御ユニット（２２）は、前記制御データを使用して、前記音声ゲートウェイ（１）と前記他の無線通信装置（２）との間の前記音声データの通信のための接続を追跡することを特徴とする請求項６記載の無線通信装置（３）。
【請求項８】
前記制御ユニット（２２）は、前記制御データが受信された時点で前記他の無線通信装置（２）への接続を解放するために前記受信機ユニット（２１）を制御することを特徴とする請求項６記載の無線通信装置（３）。
【請求項９】
前記制御ユニット（２２）は、前記受信機ユニット（２１）が前記音声データを受信している間、前記送信機ユニット（２０）を無効にすることを特徴とする請求項６記載の無線通信装置（３）。
【請求項１０】
前記無線通信装置（３）は携帯移動無線通信機器又はハンドヘルド移動無線通信機器、移動無線端末、移動電話、通信機、電子オーガナイザ、ヘッドセット又はスマートフォンであることを特徴とする請求項６記載の無線通信装置（３）。
【請求項１１】
通信ネットワークにおいて制御データを提供する無線通信装置（２）における方法であって、
音声データを受信するための接続を確立するための制御データを、音声ゲートウェイ（１）から受信する工程と、
前記制御データを使用して、前記音声データの通信のために無線通信装置（２）と前記音声ゲートウェイ（１）との接続を成立させる工程と、
他の無線通信装置（３、４）から前記制御データについての要求を受信する工程と、
前記要求に応答して、前記制御データを前記他の無線通信装置（３、４）へ転送する工程と
を備えることを特徴とする方法。
【請求項１２】
前記転送する工程は、前記制御データを一度に１つの他の無線通信装置（３、４）へ転送することを特徴とする請求項１１記載の方法。
【請求項１３】
第２の他の無線通信装置（４）への接続が確立される前に第１の他の無線通信装置（３）への接続を切断する工程を備えることを特徴とする請求項１２記載の方法。
【請求項１４】
前記制御データの少なくとも一部をディスプレイ（１４）へ転送する工程及び前記制御データの前記一部を表示する工程を備えることを特徴とする請求項１１記載の方法。
【請求項１５】
通信ネットワークにおいて制御データを要求する無線通信装置（３）における方法であって、
音声ゲートウェイ（１）と他の無線通信装置（２）との間の音声データの通信をサポートする制御データについての要求を前記他の無線通信装置（２）へ送信する工程と、
前記他の無線通信装置（２）から前記制御データを受信する工程と、
前記音声ゲートウェイ（１）と前記他の無線通信装置（２）との間において通信される前記音声データを受信するように受信機ユニット（２１）を制御する工程と
を備えることを特徴とする方法。
【請求項１６】
前記制御データを使用して、前記音声ゲートウェイ（１）と前記他の無線通信装置（２）との間の前記音声データの通信のための接続を追跡する工程を備えることを特徴とする請求項１５記載の方法。
【請求項１７】
前記制御する工程は、前記制御データが受信された時点で前記他の無線通信装置への接続を解放するように前記受信機ユニット（２１）を制御することを特徴とする請求項１５記載の方法。
【請求項１８】
通信ネットワークにおいて制御データを提供するためのコンピュータプログラム製品であって、
コンピュータ可読コードが記録されているコンピュータ可読媒体を備え、前記コンピュータ可読コードは、
音声データを受信するための接続を確立するための制御データを、音声ゲートウェイ（１）から受信するように構成されたコンピュータ可読コードと、
前記制御データを使用して、前記音声データの通信のために無線通信装置（２）と前記音声ゲートウェイ（１）との接続を成立させるように構成されたコンピュータ可読コードと、
他の無線通信装置（３、４）から前記制御データについての要求を受信するように構成されたコンピュータ可読コードと、
前記要求に応答して、前記制御データを前記他の無線通信装置（３、４）へ転送するように構成されたコンピュータ可読コードと
を備えることを特徴とするコンピュータプログラム製品。
【請求項１９】
通信ネットワークにおいて制御データを要求するためのコンピュータプログラム製品であって、
コンピュータ可読コードが記録されているコンピュータ可読媒体を備え、前記コンピュータ可読コードは、
音声ゲートウェイ（１）と他の無線通信装置（２）との間の音声データの通信をサポートする制御データについての要求を前記他の無線通信装置（２）へ送信するように構成されたコンピュータ可読コードと、
前記他の無線通信装置（２）から前記制御データを受信するように構成されたコンピュータ可読コードと、
前記音声ゲートウェイ（１）と前記他の無線通信装置（２）との間において通信される前記音声データを受信するために受信機ユニット（２１）を制御するように構成されたコンピュータ可読コードと
を備えることを特徴とするコンピュータプログラム製品。
【発明の詳細な説明】
【技術分野】
【０００１】
本発明は、無線通信装置、並びに音声ゲートウェイから制御データ及び音声データを受信し、他の無線通信装置へ制御データを送信する方法に関する。更に、本発明は、無線通信装置、並びに他の無線通信装置と音声ゲートウェイとの間において通信される音声データの受信を可能にする制御データについての要求を送信する方法に関する。
【背景技術】
【０００２】
Ｂｌｕｅｔｏｏｔｈなどの狭域通信技術は、例えば、携帯電話とヘッドセットとの間での無線通信を可能にする。このために、Ｂｌｕｅｔｏｏｔｈ仕様に従って２つのプロファイル、すなわちＨＳＰ（ヘッドセットプロファイル）及びＨＦＰ（ハンズフリープロファイル）が定義されている。これらのプロファイルは、２つのＢｌｕｅｔｏｏｔｈ対応装置の間で音声及びデータを通信するための２つの装置の対話を定義している。ＨＳＰ並びにＨＦＰは同時に２つの装置間のみで行う対話を定義している。
【０００３】
Ｂｌｕｅｔｏｏｔｈ装置の間の音声データの通信中、一方の装置はＡＧ（音声ゲートウェイ）の役割を果たし、他方の装置はＨＦ（ハンズフリー）の役割を果たす。通信のために、ＨＦＰ又はＨＳＰのいずれかが使用される。使用するプロファイルは、通信を開始した側により判定される。ＨＦ装置とＡＧ装置との接続中、ＨＦ装置は音声データをデータのストリームとして受信し、通話状態データ及び／又は電話状態データなどの制御データをデータパケットとして受信する。
【発明の開示】
【発明が解決しようとする課題】
【０００４】
Ｂｌｕｅｔｏｏｔｈ技術は、無限の数の装置へ同時に音声データを同報通信するための技術ではない。ＡＧ装置が一度に処理できるＨＦ装置に対して同一の音声データを同報通信できる最大の接続数は３に限定される。
【０００５】
従って、複数の受信装置にサービスを提供する能力が限定されている狭域通信技術を使用して音声データを同報通信する可能性は相対的に低いといえる。同報通信音声データによってサービスを提供できる装置の数が限られるため、このような狭域通信技術は融通性に乏しい。従って、音声データを同報通信するためのネットワークのマスタ装置としてＡＧを有するアドホックネットワークに追加できるＨＦ装置の数はごくわずかである。
【課題を解決するための手段】
【０００６】
本発明の一実施形態によれば、通信ネットワークにおいて動作する無線通信装置は、音声ゲートウェイから制御データ及び音声データを受信する受信機ユニットと、制御データを使用して、音声データの通信のために無線通信装置と音声ゲートウェイとの接続を成立させる制御ユニットと、送信機ユニットとを具備する。受信機ユニットは、他の無線通信装置から制御データについての要求を受信する。制御ユニットは、当該要求に応答して、送信機ユニットを介して制御データを他の無線通信装置へ転送する。
【０００７】
制御ユニットは、一度に１つの他の無線通信装置へ制御データを転送するように動作してもよい。
【０００８】
制御装置は、第２の他の無線通信装置への接続が確立される前に第１の他の無線通信装置への接続を切断するように構成されていてもよい。
【０００９】
制御ユニットは受信された音声データを廃棄するように構成されていてもよい。
【００１０】
無線通信装置はディスプレイを備えていてもよい。制御ユニットは、制御データの少なくとも一部をディスプレイへ転送するように構成されていてもよい。
【００１１】
他の実施形態によれば、通信ネットワークにおいて動作する無線通信装置は、音声ゲートウェイと他の無線通信装置との間の音声データの通信をサポートする制御データについての要求を他の無線通信装置へ送信する送信機ユニットと、他の無線通信装置から制御データを受信する受信機ユニットと、音声ゲートウェイと他の無線通信装置との間において音声データが通信された場合に、制御データを使用して、音声データを受信するために受信機ユニットを制御する制御ユニットとを備える。
【００１２】
制御ユニットは、制御データを使用して、音声ゲートウェイと他の無線通信装置との間の音声データの通信のための接続を追跡するように動作してもよい。
【００１３】
制御ユニットは、制御データが受信された時点で他の無線通信装置への接続を解放するために受信機ユニットを制御するように動作してもよい。
【００１４】
制御ユニットは、受信機ユニットが音声データを受信している間、送信機ユニットを無効にするように動作してもよい。
【００１５】
無線通信装置は携帯移動無線通信機器又はハンドヘルド移動無線通信機器、移動無線端末、携帯電話、コミュニケータ、電子オーガナイザ、ヘッドセット又はスマートフォンであってもよい。
【００１６】
他の実施形態によれば、通信ネットワークにおいて制御データを提供する無線通信装置における方法は、音声データを受信するための接続を確立するための制御データを音声ゲートウェイから受信する工程と、制御データを使用して、音声データの通信のために無線通信装置と音声ゲートウェイとの接続を成立させる工程と、他の無線通信装置から制御データについての要求を受信する工程と、該要求に応答して、制御データを他の無線通信装置へ転送する工程とを備える。
【００１７】
転送する工程は、一度に１つの他の無線通信装置へ制御データを転送する工程が含まれていてもよい。
【００１８】
通信ネットワークにおいて制御データを提供する方法は、第２の他の無線通信装置への接続が確立される前に第１の他の無線通信装置への接続を切断する工程を含んでいてもよい。
【００１９】
通信ネットワークにおいて制御データを提供する方法は、制御データの少なくとも一部をディスプレイへ転送する工程及び制御データの一部を表示する工程を含んでいてもよい。
【００２０】
他の実施形態によれば、通信ネットワークにおいて制御データを要求する無線通信装置における方法は、音声ゲートウェイと他の無線通信装置との間の音声データの通信をサポートする制御データについての要求を他の無線通信装置へ送信する工程と、他の無線通信装置から制御データを受信する工程と、音声ゲートウェイと他の無線通信装置との間において通信される音声データを受信するように受信機ユニットを制御する工程とを備える。
【００２１】
通信ネットワークにおいて制御データを提供する方法は、制御データを使用して、音声ゲートウェイと他の無線通信装置との間の音声データの通信のための接続を追跡する工程を含んでいてもよい。
【００２２】
制御する工程は、制御データが受信された時点で他の無線通信装置への接続を解放するために受信機ユニットを制御する工程を含んでいてもよい。
【００２３】
他の実施形態によれば、通信ネットワークにおいて制御データを提供するためのコンピュータプログラム製品は、コンピュータ可読コードが記録されているコンピュータ可読媒体を備える。コンピュータ可読コードは、音声データを受信するための接続を確立するための制御データを音声ゲートウェイから受信するように構成されたコンピュータ可読コードと、制御データを使用して、音声データの通信のために無線通信装置と音声ゲートウェイとの接続を成立させるように構成されたコンピュータ可読コードと、他の無線通信装置から制御データについての要求を受信するように構成されたコンピュータ可読コードと、該要求に応答して、他の無線通信装置へ制御データを転送するように構成されたコンピュータ可読コードとを備える。
【００２４】
他の実施形態によれば、通信ネットワークにおいて制御データを要求するためのコンピュータプログラム製品は、コンピュータ可読コードが記録されているコンピュータ可読媒体を備える。コンピュータ可読コードは、音声ゲートウェイと他の無線通信装置との間の音声データの通信をサポートする制御データについての要求を他の無線通信装置へ送信するように構成されたコンピュータ可読コードと、他の無線通信装置から制御データを受信するように構成されたコンピュータ可読コードと、音声ゲートウェイと他の無線通信装置との間において通信される音声データを受信するために受信機ユニットを制御するように構成されたコンピュータ可読コードとを備える。
【００２５】
本発明の更なる実施形態は従属する請求項の範囲において定義される。
【００２６】
本発明のいくつかの実施形態においては、１つのＡＧから複数の無線通信装置に音声データを提供することができる。いくつかの実施形態においては、音声ゲートウェイがサービスを提供する無線通信装置の数を、サービスを受ける無線通信装置の数が上回った場合であっても、実現可能である。
【発明を実施するための最良の形態】
【００２７】
添付の図面を参照して、本発明の実施形態を説明する。なお、本発明は多くの異なる実施形態で実現されてもよく、本明細書中に記載される実施形態に限定されるものと解釈されるべきではない。むしろ、それらの実施形態は、本明細書の開示が完璧且つ完全となるように、そして本発明の範囲を当業者に十分に伝達するように提供されるものである。添付の図面に示される特定の実施形態の詳細な説明において使用される用語は、本発明を限定することを意図しない。図中、同一の図中符号は同一の要素を示している。
【００２８】
図１は、本発明の一実施形態に係る通信ネットワークを示す。通信ネットワークにおいては、音声ゲートウェイ（ＡＧ）１、第１の無線通信装置２、第２の無線通信装置３及び第３の無線通信装置４が動作する。通信ネットワークは、Ｂｌｕｅｔｏｏｔｈ通信ネットワークのような狭域通信ネットワークである。
【００２９】
ＡＧ１は第１の無線通信装置２へ音声データを同報通信するように構成されている。更に、ＡＧ１は、ＡＧ１と第１の無線通信装置２との間での音声データを通信するための接続を確立するために第１の無線リンク５を介して制御データを提供するように構成されている。第１の無線通信装置２は、受信した制御データを使用して、音声データを受信するための接続を成立させるように構成されている。ＡＧ１と第１の無線通信装置２との間の接続がセットアップされると、他の無線通信装置は、ＡＧ１と第１の無線通信装置２との間の音声データへの接続のための制御データに対するアクセス権を要求する。要求は、第２の無線通信装置３及び／又は第３の無線通信装置４から第２のリンク６及び第３のリンク７を介して第１の無線通信装置２へ送信される。その後、第１の無線通信装置２は、その要求に応答して、ＡＧ１と第１の無線通信装置２との接続のための制御データを転送する。第２の無線通信装置３及び第３の無線通信装置４は制御データを使用して、第１のリンク５に対するアクセス権を獲得し、それにより、ＡＧ１と第１の無線通信装置２との間において通信される音声データを受信する。従って、ＡＧ１と第２の無線通信装置３との間に第４のリンク８が確立され、ＡＧ１と第３の無線通信装置４との間に第５のリンク９が確立されることとなる。
【００３０】
ＡＧ１は第１の無線通信装置２への接続を管理するだけでよい。第４のリンク８及び第５のリンク９はＡＧ１により管理される必要がない。第２の無線通信装置３及び第３の無線通信装置４は、制御データを使用することにより、ＡＧ１と第１の無線通信装置２との間において送信される音声データを捜索又はピックアップする。更に、第２の無線通信装置３及び第３の無線通信装置４は、ＡＧ１へ何らかのデータを送信する必要がない。従って、ＡＧ１は第２の無線通信装置３及び第３の無線通信装置４に関する知識を有している必要がない。そのため、ＡＧ１は１つの無線通信装置へ音声データを同報通信するだけでよい。なお、本発明の実施形態においては、ＡＧ１がサービスを提供する無線通信装置の数をサービスを受ける無線通信装置の数が上回った場合であっても、音声データを１つのＡＧから複数の無線通信装置へ同報通信することができる。これが可能であるのは、制御データが第１の無線通信装置２により転送され、ＡＧ１と第１の無線通信装置２との間において音声データが提供されるためである。従って、その制御データを獲得した他の無線通信装置も音声データを受信することができる。音声データが暗号化されていない場合、第２の無線通信装置３及び第３の無線通信装置４は音声データを暗号化するための情報を全く必要としない。
【００３１】
ＡＧ１は、例えば、音声データのストリームとして音声データを提供する装置である。無線通信装置２、３、４は音声データを再生するために使用されてもよい。第１の無線通信装置２はマスタ装置であってもよい。第２の無線通信装置３及び第３の無線通信装置４はマスタ装置の制御の下で動作するスレーブ装置であってもよい。スレーブ装置の制御は、ＡＧ１と第１の無線通信装置２との接続のための制御データにより実行される。
【００３２】
図２は、第１の無線通信装置２の一実施形態のいくつかの構成要素を示す図である。第１の無線通信装置２は、受信機ユニット１０、送信機ユニット１１及び制御ユニット１２を具備する。第１の無線通信装置２はメモリ１３を更に具備していてもよい。
【００３３】
受信機ユニット１０及び送信機ユニット１１は、代替構成として１つのトランシーバユニット（図示せず）として提供されてもよい。受信機ユニット１０及び送信機ユニット１１は、Ｂｌｕｅｔｏｏｔｈなどの狭域無線アクセス技術を使用して提供される。
【００３４】
受信機ユニット１０は、ＡＧ１から制御データ及び音声データを受信するように動作する。制御ユニット１２は制御データを使用して、音声データの通信のために第１の無線通信装置２とＡＧ１との接続を成立させるように動作する。制御データに基づいて、第１の無線通信装置２とＡＧ１との接続が確立され、維持される。
【００３５】
受信機ユニット１１は、第２の無線通信装置３及び／又は第３の無線通信装置４などの他の無線通信装置から、ＡＧ１と第１の無線通信装置２との接続のための制御データについての要求を受信するように動作する。制御ユニット１２は、要求に応答して、送信機ユニット１１を介して制御データを他の無線通信装置へ転送するように動作する。
【００３６】
いくつかの実施形態においては、制御ユニット１２は制御データを一度に１つの他の無線通信装置へ転送するように動作する。これは、第３の無線通信装置４への接続が確立される前に第２の無線通信装置３への接続を切断することにより実行されてもよい。本実施形態は、例えば、第１の無線通信装置が制御データによって一度に１つの他の無線通信装置にしかサービスを提供できない場合において有用であろう。
【００３７】
いくつかの実施形態においては、制御ユニット１１又は第１の無線通信装置２の他の任意のユニットは、受信した音声データを廃棄するように構成されている。従って、第１の無線通信装置２は、例えば、室内で相対的に固定された位置を占める基地ユニットとして提供されてもよい。第１の無線通信装置２によりサービスを受ける領域、例えば、無線通達領域の中にスレーブ装置が入った場合、スレーブ装置は制御データに対するアクセス権を要求する。制御データが受信されると、ＡＧ１からの音声データを受信できる。これにより、博物館、都市の一部領域、観光名所などの相対的に限定された領域において音声同報通信をセットアップすることができる。
【００３８】
ＡＧ１及びＡＧ１が接続される第１の無線通信装置２は、同一の場所に配置されていても、あるいは相対的に近接して配置されていてもよい。従って、ＡＧ１及び第１の無線通信装置２によるエリアサービスは相対的に一様であろう。これは、博物館などの広い領域の中にいくつかのＡＧが配置されている場合に好都合であろう。その場合、異なる部屋の中に異なるＡＧが配置されてもよく、１つのＡＧから音声データを利用できるどの場所においても制御データを受信可能であることが保証される。
【００３９】
一実施形態においては、第１の無線通信装置２は携帯通信装置である。第１の無線通信装置２は、腕時計に含まれるか又は腕時計として実現されてもよいし、ネックレスとして身につけられてもよい。あるいは単純にハンドヘルド装置であってもよい。第２の無線通信装置３はヘッドセットであってもよい。第１の無線通信装置２は、例えば、通話を監視するために使用されてもよい。第２の無線通信装置３は、ＡＧ１により提供される音声を再生するために使用されてもよい。制御データは、着信の電話番号などの通話状態情報を含んでいてもよい。従って、電話番号などの制御データの一部は、第１の無線通信装置２のディスプレイ１４に表示されてもよい。制御ユニット１２は、制御データの少なくとも一部をディスプレイ１４へ転送するように構成されていてもよい。
【００４０】
図３は、第２の無線通信装置３の一実施形態のいくつかの構成要素を示す図である。第３の無線通信装置４は第２の無線通信装置３と同一の構成を有していてもよく、従って、第３の無線通信装置４に関する詳細な説明は省略される。第２の無線通信装置３は、送信機ユニット２０、受信機ユニット２１及び制御ユニット２２を具備する。第２の無線通信装置３はメモリ２３を更に具備していてもよい。
【００４１】
送信機ユニット２０及び受信機ユニット２１は、代替構成としてトランシーバユニット（図示せず）により提供されてもよい。送信機ユニット２０及び受信機ユニット２１は、Ｂｌｕｅｔｏｏｔｈなどの狭域無線アクセス技術を使用して提供されてもよい。
【００４２】
送信機ユニット２０は、ＡＧ１と第１の無線通信装置２との間の音声データの通信をサポートする制御データについての要求を第１の無線通信装置２へ送信するように動作する。制御データは、音声データを通信するための接続を追跡するために使用されてもよい。
【００４３】
受信機ユニット２１は、第１の無線通信装置２から制御データを受信するように動作する。
【００４４】
制御ユニット２２は、制御データを使用して、ＡＧ１と第１の無線通信装置２との間において音声データが通信される場合に音声データを受信するために受信機ユニット２１を制御するように動作する。
【００４５】
いくつかの実施形態においては、制御ユニット２２は、制御データを使用して、ＡＧ１と第１の無線通信装置２との間の音声データの通信のための接続を追跡するように動作する。従って、ＡＧ１から同報通信される音声データは第２の無線通信装置３で受信されてもよい。音声データは、レンダリングのためにスピーカ２４へ転送されてもよい。
【００４６】
いくつかの実施形態においては、制御ユニット２２は、制御データが受信された時点で第１の無線通信装置２への接続を解放するために受信機ユニット２１を制御するように動作する。従って、第１の無線通信装置２は自在に他の無線通信装置へ制御データを提供することができる。これにより、第１の無線通信装置２と第２の無線通信装置３との間において制御データを送信するために、第１の装置と第２の装置との間の通信のためにのみ構成されたプロトコル又はプロファイルを使用することができるようになる。例えば、第１の装置と第２の装置との間の送信のためにのみ構成されたＨＳＰ及びＨＦＰを使用して、制御データを通信することができる。第１の無線通信装置２への接続を解放することにより、他の無線通信装置が同一の方法を使用して制御データに対するアクセス権を獲得することができる。
【００４７】
いくつかの実施形態においては、制御ユニット２２は、受信機ユニット２１が音声データを受信している間に送信機ユニット２０を無効にするように動作する。従って、第２の無線通信装置３はスレーブ装置として動作する。これにより、ＡＧ１と第１の無線通信装置２との間において通信される音声データを再生できる無線通信装置の数は無限になる。
【００４８】
制御ユニット１２及び２２は、制御ユニットとしての機能を果たすためのソフトウェアを実行するＣＰＵなどのプロセッサにより実現されてもよい。ソフトウェアは、例えば、メモリ１３及び２３に格納されてもよい。あるいは、制御ユニット１２及び２２は、ＡＳＩＣ（特定用途向け集積回路）又はＦＰＧＡ（フィールドプログラマブルゲートアレイ）などのハードウェアコンポーネントにより提供されてもよい。
【００４９】
制御データはメモリ１３及び２３に格納されていてもよい。制御データは、ＡＧ１と第１の無線通信装置２との接続を追跡するための情報を含んでいてもよい。例えば、周波数ホッピングネットワークの場合、制御データは、例えば周波数ホップシーケンスを判定するためのデータを含んでいてもよい。制御データは、クロックオフセット、ホッピングテーブル、暗号化キー、リンクキーなどの他の情報を更に含んでいてもよい。
【００５０】
第１の無線通信装置２と第２の無線通信装置３及び第３の無線通信装置４との間において通信される要求及び要求に対する応答は、例えば、ＡＴ（アテンションコマンド）セット、ＡＰＩ（アプリケーションプログラムインタフェース）セット、１つ又はいくつかの２進メッセージなどを使用して提供されてもよい。
【００５１】
一実施形態においては、通信ネットワークはＢｌｕｅｔｏｏｔｈネットワークである。その場合、ＡＧ１は、ＨＦＰ又はＨＳＰを使用して制御データ及び音声データを通信する。第１の無線通信装置２は、ＡＧ１により使用されるプロトコル（例えば、ＨＦＰ又はＨＳＰ）を使用して制御データ及び音声データを受信する。使用されるべきプロトコルは、ＡＧ１と第１の無線通信装置２との接続を開始した装置により選択される。従って、ＡＧ１は標準ＢｌｕｅｔｏｏｔｈＡＧにより構成されているものとし、詳細な説明は省略する。
【００５２】
第２の無線通信装置３及び第３の無線通信装置４は、携帯無線コミュニケータ装置として実現されてもよい。例えば、それらの無線通信装置は携帯移動無線通信機器又はハンドヘルド移動無線通信機器、移動無線端末、移動電話、通信機、電子オーガナイザ、ヘッドセット又はスマートフォンとして実現されてもよい。
【００５３】
図４は、通信ネットワークにおいて制御データを提供する方法の一実施形態を示している。第１のステップ１００において、音声データを受信するための接続を確立するための制御データが第１の無線通信装置２で受信される。次に、ステップ１０１において、制御データは、音声データを通信するために第１の無線通信装置２とＡＧ１との接続を成立させるべく、例えば、接続の確立及び維持のために使用される。ステップ１０２において、音声データが受信される。ステップ１０３において、制御データの少なくとも一部が表示される。ステップ１０４において、音声データをサポートする制御データについての要求が他の無線通信装置から受信される。ステップ１０５において、制御データが他の無線通信装置へ転送される。ステップ１０６において、制御データに対する他の要求が受信されたか否かが判定される。ステップ１０５における判定は、例えば、既に制御データによってサービスを受ける無線通信装置への接続が切断された時点で実行されてもよい。ステップ１０６における返答が肯定である場合、ステップ１０５に戻る。ステップ１０６における返答が否定である場合には、手順は終了する。
【００５４】
制御データを提供する方法の他の実施形態においては、図４に示される全てのステップが実行される必要はない。例えば、他の実施形態においては、ステップ１０３及び／又はステップ１０６は実行されない。また、他の実施形態においては、図４の実施形態に示されるステップの順序も他の順序で実行される。
【００５５】
図５は、通信ネットワークにおいて制御データを要求する方法の一実施形態を示している。図５に示される方法は、例えば、第２の無線通信装置３及び／又は第４の無線通信装置４において実行される。制御データは音声データと関連付けられていてもよい。制御データは音声データを通信するための接続をサポート又は可能にするため、音声データ及び制御データは関連付けられている。第１のステップ２００において、第１の無線通信装置２とＡＧ１との間において送信される音声データと関連付けられた制御データについての要求が送信される。ステップ２０１において、制御データが受信される。ステップ２０２において、第１の無線通信装置２への接続が解放される。ステップ２０３において、第１の無線通信装置２とＡＧ１との間において通信される音声データを受信するように受信機２１を制御するために制御データが使用される。この制御は、第１の無線通信装置２とＡＧ１との間の音声データのための接続を追跡することを含んでいてもよい。音声データはステップ２０４において受信され、ステップ２０５においてレンダリングされる。
【００５６】
本発明の他の実施形態においては、図５の実施形態に係る全てのステップが実行されるわけではない。例えば、他の実施形態においては、ステップ２０２は実行されない。また、他の実施形態においては、図５に示されるステップは他の順序で実行される。
【００５７】
本明細書において使用されるように、特に指示のない限り、単数形「ａ」、「ａｎ」及び「ｔｈｅ」は複数形も含むことを意図する。用語「含む」及び／又は「具備する」は、本明細書において使用される場合、記載される特徴、数字、ステップ、動作、要素及び／又は構成要素の存在を特定するが、１つ以上の他の特徴、数字、ステップ、動作、要素、構成要素及び／又はそれらの集合の存在又は追加を除外するものではない。要素が他の要素に「接続」又は「結合」されるとして示される場合、その要素はその他の要素に直接接続又は結合されても、あるいは仲介する要素を介して接続されてもよい。更に、本明細書で使用される「接続」又は「結合」は、無線接続又は結合を含んでいてもよい。本明細書で使用されるように、用語「及び／又は」は、列挙される１つ以上の関連する項目の任意の組合せ及び全ての組合せを含む。
【００５８】
特に指示のない限り、本明細書において使用される全ての用語（技術科学用語を含む）は、本発明が属する分野の技術者により一般に理解される意味と同一の意味を有する。一般に使用される辞書において定義される用語等の用語は、関連技術の説明におけるそれら用語の意味と一致する意味を有するものとして解釈されるべきであり、特に指示のない限り、理想化された意味又は過度に形式的な意味に解釈されない。
【００５９】
Ｂｌｕｅｔｏｏｔｈネットワークを参照して本発明の実施形態を説明した。他の実施形態において、通信ネットワーク及びそこで動作する装置は、ＷｉＦｉ（Wireless Fidelity）、ＩＥＥＥ（電気電子学会）８０２．１１又はＷｉＭＡＸ（Worldwide Interoperability for Microwave Access）ネットワーク等の無線ローカルエリアネットワーク（ＷＬＡＮ）において動作するように構成される。
【００６０】
本発明は、移動端末、方法又はコンピュータプログラム製品として実現されてもよい。従って、本発明は、ハードウェア実施形態、ソフトウェア実施形態、あるいはソフトウェア及びハードウェアの面を組み合わせた実施形態の形式であってもよく、それら全てが本明細書において一般にユニット又は装置と呼ばれる。更に、本発明は、コンピュータプログラム製品の形態をとってもよい。コンピュータプログラム製品は、コンピュータにおいて使用可能なプログラムコードを実装したコンピュータ使用可能記憶媒体に格納されてもよい。ハードディスク、ＣＤ−ＲＯＭ、ＲＡＭ（ランダムアクセスメモリ）、ＲＯＭ（読み出し専用メモリ）、フラッシュメモリ、光学記憶装置、インターネット又はイントラネットをサポートするような伝送媒体、あるいは磁気記憶装置を含む任意の適切なコンピュータ可読媒体が利用されてもよい。
【００６１】
本明細書では、フローチャート及び／又はブロック図を参照して本発明の実施形態を説明した。図示される一部又は全てのブロックがコンピュータプログラム命令により実現されてもよいことが理解されるだろう。それらコンピュータプログラム命令は、装置を形成する汎用コンピュータ、専用コンピュータ及び／又は他のプログラマブルデータ処理装置のプロセッサに提供され、実行されることにより、別途記載されたフローチャートにおいて特定される機能／動作を実現する手段を形成する。
【００６２】
フローチャートに示される機能／動作は、動作図に示される順序と異なる順序で行なわれてもよいことが理解されるだろう。例えば、連続して示される２つのブロックは、実際には関係する機能性／動作に依存して、ほぼ同時に実行されてもよく又は逆の順序で実行されてもよい。一部の図は、通信の主な方向を示すために通信経路上に矢印を含むが、通信は図示される矢印と逆方向に行なわれてもよいことが理解されるだろう。
【００６３】
コンピュータプログラム製品は、明細書及び請求の範囲で説明されるように、コンピュータプログラムコード部分がコンピュータ機能を有する電子装置により実行される時に制御データを提供する方法を実行するコンピュータプログラムコード部分を含んでもよい。
【００６４】
コンピュータプログラム製品を格納したコンピュータ可読媒体は、明細書及び請求の範囲で説明されるように、コンピュータプログラムコード部分がコンピュータ機能を有する電子装置により実行される時に制御データを提供する方法を実行するコンピュータプログラムコード部分を含んでもよい。
【００６５】
コンピュータプログラム製品は、明細書及び請求の範囲で説明されるように、コンピュータプログラムコード部分がコンピュータ機能を有する電子装置により実行される時に制御データを要求する方法を実行するコンピュータプログラムコード部分を含んでもよい。
【００６６】
コンピュータプログラム製品を格納したコンピュータ可読媒体は、明細書及び請求の範囲で説明されるように、コンピュータプログラムコード部分がコンピュータ機能を有する電子装置により実行される時に制御データを要求する方法を実行するコンピュータプログラムコード部分を含んでもよい。
【００６７】
特定の実施形態を参照して本発明を説明した。しかし、同様に上述以外の実施形態に本発明の範囲内に含めることが可能である。本発明の種々の特徴及びステップは、上述以外の組合せで組み合わされてもよい。本発明の範囲は、添付の請求の範囲によってのみ限定される。
【図面の簡単な説明】
【００６８】
【図１】通信ネットワークを示す概略図である。
【図２】第１の無線通信装置を示すブロック図である。
【図３】第２の無線通信装置を示すブロック図である。
【図４】通信ネットワークにおいて制御データを提供する方法を示すフローチャートである。
【図５】通信ネットワークにおいて制御データを要求する方法を示すフローチャートである。
【図１】
2009519640.tif 000003
【図２】
2009519640.tif 000004
【図３】
2009519640.tif 000005
【図４】
2009519640.tif 000006
【図５】
2009519640.tif 000007
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
通信ネットワークにおいて動作する第１の無線通信装置（２）であって、
音声ゲートウェイ（１）から制御データ及び音声データを受信する受信機ユニット（１０）と、
前記音声ゲートウェイから前記第１の無線通信装置までの前記音声データの無線通信のために、前記制御データを使用して、前記第１の無線通信装置（２）と前記音声ゲートウェイ（１）との接続を成立させる制御ユニット（１２）と、
送信機ユニット（１１）と、を備え、
前記受信機ユニット（１０）は、他の無線通信装置（３、４）から前記制御データについての要求を受信し、
前記制御ユニット（１２）は、前記音声ゲートウェイと前記第１の無線通信装置との間において無線通信が行われた場合に、前記他の無線通信装置（３、４）が前記制御データを使用して前記音声データを受信することができるように、前記要求に応答して、前記送信機ユニット（１１）を介して前記制御データを前記他の無線通信装置（３、４）へ転送することを特徴とする第１の無線通信装置（２）。
【請求項２】
前記制御ユニット（１２）は、前記制御データを一度に１つの他の無線通信装置（３、４）へ転送することを特徴とする請求項１記載の第１の無線通信装置（２）。
【請求項３】
前記制御ユニット（１２）は、第２の他の無線通信装置（４）への接続が確立される前に第１の他の無線通信装置（３）への接続を切断することを特徴とする請求項２記載の第１の無線通信装置（２）。
【請求項４】
前記制御ユニット（１２）は受信された音声データを廃棄することを特徴とする請求項１記載の第１の無線通信装置（２）。
【請求項５】
ディスプレイ（１４）を備え、前記制御ユニット（１２）は、前記制御データの少なくとも一部を前記ディスプレイ（１４）へ転送することを特徴とする請求項１記載の第１の無線通信装置（２）。
【請求項６】
通信ネットワークにおいて動作する第２の無線通信装置（３）であって、
音声ゲートウェイ（１）と第１の無線通信装置（２）との間の音声データの通信をサポートする制御データについての要求を前記第１の無線通信装置（２）へ送信する送信機ユニット（２０）と、
前記第１の無線通信装置（２）から前記制御データを受信する受信機ユニット（２１）と、
前記音声ゲートウェイ（１）と前記第１の無線通信装置（２）との間において前記音声データが通信された場合に、前記制御データを使用して、前記音声データを受信するように前記受信機ユニット（２１）を制御する制御ユニット（２２）と
を備えることを特徴とする第２の無線通信装置（３）。
【請求項７】
前記制御ユニット（２２）は、前記制御データを使用して、前記音声ゲートウェイ（１）と前記第１の無線通信装置（２）との間の前記音声データの通信のための接続を追跡することを特徴とする請求項６記載の第２の無線通信装置（３）。
【請求項８】
前記制御ユニット（２２）は、前記制御データが受信された時点で前記第１の無線通信装置（２）への接続を解放するために前記受信機ユニット（２１）を制御することを特徴とする請求項６記載の第２の無線通信装置（３）。
【請求項９】
前記制御ユニット（２２）は、前記受信機ユニット（２１）が前記音声データを受信している間、前記送信機ユニット（２０）を無効にすることを特徴とする請求項６記載の第２の無線通信装置（３）。
【請求項１０】
前記無線通信装置（３）は携帯移動無線通信機器又はハンドヘルド移動無線通信機器、移動無線端末、移動電話、通信機、電子オーガナイザ、ヘッドセット又はスマートフォンであることを特徴とする請求項６記載の第２の無線通信装置（３）。
【請求項１１】
通信ネットワークにおいて制御データを提供する第１の無線通信装置（２）における方法であって、
音声データを受信するための接続を確立するための制御データを、音声ゲートウェイ（１）から受信する工程と、
前記音声ゲートウェイから前記第１の無線通信装置までの前記音声データの無線通信のために、前記制御データを使用して、前記第１の無線通信装置（２）と前記音声ゲートウェイ（１）との無線接続を成立させる工程と、
他の無線通信装置（３、４）から前記制御データについての要求を受信する工程と、
前記音声ゲートウェイと前記第１の無線通信装置との間において無線通信が行われた場合に、前記他の無線通信装置（３、４）が前記制御データを使用して前記音声データを受信することができるように、前記要求に応答して、前記制御データを前記他の無線通信装置（３、４）へ転送する工程と
を備えることを特徴とする方法。
【請求項１２】
前記転送する工程は、前記制御データを一度に１つの他の無線通信装置（３、４）へ転送することを特徴とする請求項１１記載の方法。
【請求項１３】
第３の無線通信装置（４）への接続が確立される前に第２の無線通信装置（３）への接続を切断する工程を備えることを特徴とする請求項１２記載の方法。
【請求項１４】
前記制御データの少なくとも一部をディスプレイ（１４）へ転送する工程及び前記制御データの前記一部を表示する工程を備えることを特徴とする請求項１１記載の方法。
【請求項１５】
通信ネットワークにおいて制御データを要求する第２の無線通信装置（３）における方法であって、
音声ゲートウェイ（１）と第１の無線通信装置（２）との間の音声データの通信をサポートする制御データについての要求を前記第１の無線通信装置（２）へ送信する工程と、
前記第１の無線通信装置（２）から前記制御データを受信する工程と、
前記音声ゲートウェイと前記第１の無線通信装置との間において通信が行われた場合に、前記音声ゲートウェイ（１）と前記第１の無線通信装置（２）との間において通信される前記音声データを受信するように受信機ユニット（２１）を制御するために、前記制御データを使用する工程と
を備えることを特徴とする方法。
【請求項１６】
前記制御データを使用して、前記音声ゲートウェイ（１）と前記第１の無線通信装置（２）との間の前記音声データの通信のための接続を追跡する工程を備えることを特徴とする請求項１５記載の方法。
【請求項１７】
前記制御する工程は、前記制御データが受信された時点で前記第１の無線通信装置への接続を解放するように前記受信機ユニット（２１）を制御する工程を更に備えることを特徴とする請求項１５記載の方法。
【請求項１８】
通信ネットワークにおいて制御データを提供するためのコンピュータプログラム製品であって、
コンピュータ可読コードが記録されているコンピュータ可読媒体を備え、前記コンピュータ可読コードは、
音声データを受信するための接続を確立するための制御データを、音声ゲートウェイ（１）から受信するように構成されたコンピュータ可読コードと、
前記音声ゲートウェイから前記第１の無線通信装置までの前記音声データの通信のために、前記制御データを使用して、前記第１の無線通信装置（２）と前記音声ゲートウェイ（１）との無線接続を成立させるように構成されたコンピュータ可読コードと、
他の無線通信装置（３、４）から前記制御データについての要求を受信するように構成されたコンピュータ可読コードと、
前記音声ゲートウェイと前記第１の無線通信装置との間において通信が行われた場合に、前記他の無線通信装置（３、４）が前記制御データを使用して前記音声データを受信することができるように、前記要求に応答して、前記制御データを前記他の無線通信装置（３、４）へ転送するように構成されたコンピュータ可読コードと
を備えることを特徴とするコンピュータプログラム製品。
【請求項１９】
通信ネットワークにおいて制御データを要求するためのコンピュータプログラム製品であって、
コンピュータ可読コードが記録されているコンピュータ可読媒体を備え、前記コンピュータ可読コードは、
音声ゲートウェイ（１）と第１の無線通信装置（２）との間の音声データの通信をサポートする制御データについての要求を前記第１の無線通信装置（２）へ送信するように構成されたコンピュータ可読コードと、
前記第１の無線通信装置（２）から前記制御データを受信するように構成されたコンピュータ可読コードと、
前記音声ゲートウェイと前記第１の無線通信装置との間において通信が行われた場合に、前記音声ゲートウェイ（１）と前記第１の無線通信装置（２）との間において通信される前記音声データを受信するために受信機ユニット（２１）を制御すべく、前記制御データを使用するように構成されたコンピュータ可読コードと
を備えることを特徴とするコンピュータプログラム製品。
【手続補正書】
【提出日】平成20年8月13日(2008.8.13)
【手続補正１】
【補正対象書類名】特許請求の範囲
【補正対象項目名】請求項１７
【補正方法】変更
【補正の内容】
【請求項１７】
前記使用する工程は、前記制御データが受信された時点で前記第１の無線通信装置への接続を解放するように前記受信機ユニット（２１）を制御する工程を更に備えることを特徴とする請求項１５記載の方法。
【国際調査報告】
2009519640.tif 000008
2009519640.tif 000009